【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  コンテンツを構成する少なくとも１つ以上のメディアを特定するコンテンツ構成情報を受信するコンテンツ構成情報伝送部と、
前記コンテンツを構成する前記メディアを受信するメディア伝送部と、
前記メディアの受信状態に基づいて複数の異なる前記コンテンツ構成情報から１つを選択する受信データ管理部と、
選択した前記コンテンツ構成情報を用いて前記メディアを再生する再生制御部と、
を具備したことを特徴とする受信装置。
【請求項２】  前記コンテンツ構成情報は、前記メディアの表示レイアウトを特定するレイアウト情報を含む、ことを特徴とする請求項１記載の受信装置。
【請求項３】  前記受信データ管理部は、
前記複数の異なるコンテンツ構成情報から、構成する全ての前記メディアを受信可能である前記コンテンツ構成情報を選択する、
ことを特徴とする請求項１記載の受信装置。
【請求項４】  前記コンテンツ構成情報は、再生に必須である必須メディアを有し、
前記受信データ管理部は、
前記複数の異なるコンテンツ構成情報から、前記必須メディアを受信可能である前記コンテンツ構成情報を選択する、
ことを特徴とする請求項１から請求項３のいずれかに記載の受信装置。
【請求項５】  前記コンテンツ構成情報は、使用の優先度情報を有し、
前記受信データ管理部は、
前記複数の異なるコンテンツ構成情報から、前記優先度情報が最も高い前記コンテンツ構成情報を選択する、
ことを特徴とする請求項１から請求項４のいずれかに記載の受信装置。
【請求項６】  前記受信データ管理部は、
前記複数の異なるコンテンツ構成情報から、送信側から送信されてくる送信間隔が最も長い前記コンテンツ構成情報を選択する、
ことを特徴とする請求項１から請求項４のいずれかに記載の受信装置。
【請求項７】  前記受信データ管理部は、
前記複数の異なるコンテンツ構成情報が１つの番組情報に記載されている場合に、前記複数の異なるコンテンツ構成情報から、最も記載順が早い前記コンテンツ構成情報を選択する、
ことを特徴とする請求項１から請求項４のいずれかに記載の受信装置。
【請求項８】  前記受信データ管理部は、
前記複数の異なるコンテンツ構成情報から、構成する前記メディアの数が多い前記コンテンツ構成情報を選択する、
ことを特徴とする請求項１から請求項４のいずれかに記載の受信装置。
【請求項９】  前記受信データ管理部は、
前記複数の異なるコンテンツ構成情報から、映像メディアを含む前記コンテンツ構成情報を選択する、
ことを特徴とする請求項１から請求項４のいずれかに記載の受信装置。
【請求項１０】  前記メディアの伝送路上でのロス率を測定する受信制御部を具備し、
前記受信データ管理部は、
前記複数の異なるコンテンツ構成情報から、前記ロス率が所定値以下の前記コンテンツ構成情報を選択する、
ことを特徴とする請求項１から請求項４のいずれかに記載の受信装置。
【請求項１１】  コンテンツを構成する少なくとも１つ以上のメディアを特定するコンテンツ構成情報を複数送信するコンテンツ構成情報伝送部と、
前記コンテンツを構成する前記メディアを送信するメディア伝送部と、
を具備したことを特徴とする送信装置。
【請求項１２】  前記コンテンツ構成情報は、前記メディアの表示レイアウトを特定するレイアウト情報を含む、ことを特徴とする請求項１１記載の送信装置。
【請求項１３】  前記コンテンツを構成する前記メディアが再生可能である場合にのみ前記コンテンツ構成情報を利用して再生を行うことを許可する識別子を送信する、ことを特徴とする請求項１１記載の送信装置。
【請求項１４】  複数の異なる前記コンテンツ構成情報を送信する際に、使用の優先度が高い前記コンテンツ構成情報の送信間隔を、使用の優先度が低い前記コンテンツ構成情報の送信間隔よりも長く設定する、ことを特徴とする請求項１１記載の送信装置。
【請求項１５】  請求項１１記載の送信装置と、請求項１記載の受信装置とを具備したことを特徴とするメディア配信システム。
【請求項１６】  コンテンツを構成する少なくとも１つ以上のメディアを特定するコンテンツ構成情報を受信するステップと、
前記コンテンツを構成する前記メディアを受信するステップと、
前記メディアの受信状態に基づいて複数の異なる前記コンテンツ構成情報から１つを選択するステップと、
選択した前記コンテンツ構成情報を用いて前記メディアを再生するステップと、
を具備したことを特徴とする情報閲覧方法。
【請求項１７】  コンテンツを構成する少なくとも１つ以上のメディアを特定するコンテンツ構成情報を複数送信するステップと、
前記コンテンツを構成する前記メディアを送信するステップと、
を具備したことを特徴とするメディア送信方法。
【請求項１８】  送信側において、
コンテンツを構成する少なくとも１つ以上のメディアを特定するコンテンツ構成情報を複数送信するステップと、
前記コンテンツを構成する前記メディアを送信するステップと、
受信側において、
送信側から送信されてきた前記コンテンツ構成情報を受信するステップと、
送信側から送信されてきた前記メディアを受信するステップと、
前記メディアの受信状態に基づいて複数の異なる前記コンテンツ構成情報から１つを選択するステップと、
選択した前記コンテンツ構成情報を用いて前記メディアを再生するステップと、
を具備したことを特徴とする情報閲覧方法。
【請求項１９】  コンピュータに、
コンテンツを構成する少なくとも１つ以上のメディアを特定するコンテンツ構成情報を受信するステップと、
前記コンテンツを構成する前記メディアを受信するステップと、
前記メディアの受信状態に基づいて複数の異なる前記コンテンツ構成情報から１つを選択するステップと、
選択した前記コンテンツ構成情報を用いて前記メディアを再生するステップと、
を行わせることを特徴とするプログラム。
【請求項２０】  コンピュータに、
コンテンツを構成する少なくとも１つ以上のメディアを特定するコンテンツ構成情報を複数送信するステップと、
前記コンテンツを構成する前記メディアを送信するステップと、
を行わせることを特徴とするプログラム。
【請求項２１】  請求項１９または請求項２０記載のプログラムを格納した記憶媒体。
【手続補正２】
【補正対象書類名】明細書
【補正対象項目名】００２５
【補正方法】変更
【補正の内容】
【００２５】
本発明は、かかる点に鑑みてなされたものであり、受信端末が、伝送された映像、音声、静止画、テキストなどさまざまなメディアからなるコンテンツを再生する場合に、メディアの受信状態に適した形態でコンテンツを再生できるようにすることを目的とする。
【手続補正３】
【補正対象書類名】明細書
【補正対象項目名】００２６
【補正方法】変更
【補正の内容】
【００２６】
【課題を解決するための手段】
本発明は、送信側において、コンテンツを構成する少なくとも１つ以上のメディアを特定するコンテンツ構成情報を複数送信し、コンテンツを構成するメディアを送信し、受信側において、送信側から送信されてきたコンテンツ構成情報を受信し、また、送信側から送信されてきたメディアを受信し、このメディアの受信状態に基づいて複数の異なるコンテンツ構成情報から１つを選択し、選択したコンテンツ構成情報を用いてメディアを再生するようにした。
【手続補正４】
【補正対象書類名】明細書
【補正対象項目名】００２７
【補正方法】変更
【補正の内容】
【００２７】
これにより、受信側が、メディアの受信状態に適したコンテンツ構成情報を選択し、選択したコンテンツ構成情報を用いて受信したメディアを再生できる。
【手続補正５】
【補正対象書類名】明細書
【補正対象項目名】０１８８
【補正方法】変更
【補正の内容】
【０１８８】
このように、レイアウト情報１９００には、このレイアウトに含まれるメディアデータを記載している。
【手続補正６】
【補正対象書類名】明細書
【補正対象項目名】０３１２
【補正方法】変更
【補正の内容】
【０３１２】
【発明の効果】
以上説明したように、サーバ１０２が受信端末１０４に対して複数のレイアウト情報とメディアを送ることにより、受信端末１０４が伝送された映像、音声、静止画、テキストなどさまざまなメディアからなるコンテンツを再生する場合に、メディアの受信状態に適した形態でコンテンツを再生できる。